(57)【特許請求の範囲】
【請求項１】
ゴミ容器本体内に仕切板が着脱可能に挿着され、仕切板の上端に１対のゴミ袋固定枠が回動可能に枢支されており、仕切板とゴミ袋固定枠の相対向する側壁の何れか一方に突起が突設され、該突起が他方の側壁に触接して直立されたゴミ袋固定枠の傾倒を防ぐようなされていることを特徴とする分別収集用ゴミ容器。
【発明の詳細な説明】
【０００１】
【発明の属する技術分野】
本発明は、分別収集用ゴミ容器に関する。
【０００２】
【従来の技術】
従来、仕切板の上端に複数の固定枠を上下回動可能に取付け、ゴミ容器本体内に仕切板を着脱可能に挿入すると共に、水平状態に回動した固定枠をゴミ容器本体の開口縁に係合したゴミ容器は、例えば実開平６−８３６０２号公報に示されているように、公知である。
【０００３】
【発明が解決しようとする課題】
しかしながら、このようなゴミ容器に於いては、ゴミ袋を交換する際に、ゴミ袋固定枠を直立させておくことが出来ない為、片手でゴミ袋固定枠を傾倒しないように支持しながら、残る片手でゴミが収納されたゴミ袋をゴミ容器本体から取出さねばならないという問題があった。
【０００４】
本発明は、上記従来の問題点を解消し、ゴミ袋固定枠を直立させて、両手を用いてゴミが収納されたゴミ袋をゴミ容器本体から容易に取出すことが出来る分別収集用ゴミ容器を提供することを目的とする。
【０００５】
【課題を解決するための手段】
本発明の分別収集用ゴミ容器は、ゴミ容器本体内に仕切板が着脱可能に挿着され、仕切板の上端に１対のゴミ袋固定枠が回動可能に枢支されており、仕切板とゴミ袋固定枠の相対向する側壁の何れか一方に突起が突設され、該突起が他方の側壁に触接して直立されたゴミ袋固定枠の傾倒を防ぐようなされていることを特徴とする。
【０００６】
本発明の分別収集用ゴミ容器に於いて、ゴミ容器本体の材質は、特に限定されず、例えば、高密度ポリエチレン（ＨＤＰＥ）、ポリプロピレン（ＰＰ）等の熱可塑性硬質合成樹脂、硝子繊維強化不飽和ポリエステル樹脂（ＦＲＰ）、金属、合成樹脂被覆金属等が挙げられる。
【０００７】
ゴミ容器本体の大きさは、特に限定されないが、ゴミ袋が装着されること及びゴミ収集地点等への運搬の便等の点から、例えば、容量略４５〜９０リットルとされるのが好ましい。
【０００８】
ゴミ容器本体の側壁上端は、使用時にゴミ袋固定枠に係る重量を広い面積で安定して支承出来るよう、ゴミ袋固定枠の厚みに略等しい寸法だけ外方に拡幅されて、受口が設けられているのが好ましい。
【０００９】
ゴミ容器本体の長手方向の内側壁中央には、上下方向に凹溝を刻設するか、２本の突条を並設して、仕切板の両側端が凹溝もしくは２本の突条の中間に挿入、固定されるようにするのが好ましい。
【００１０】
本発明の分別収集用ゴミ容器に於いて、仕切板の材質は、特に限定されず、例えば、ＨＤＰＥ、ＰＰ等の熱可塑性硬質合成樹脂、ＦＲＰ、金属、合成樹脂被覆金属等が挙げられる。
【００１１】
仕切板の形状は、特に限定されず、例えば、平板状、波板状等の何れでもよく、強度を保持しながら、軽量化出来るよう、全体が薄肉となされ、全周に厚肉の補強縁が周設されるのが好ましい。材料使用量を節減する為に、透孔が連設されていてもよく、全体が格子状となされていてもよい。
【００１２】
本発明の分別収集用ゴミ容器に於いて、ゴミ袋固定枠の材質は、特に限定されず、例えば、ＨＤＰＥ、ＰＰ等の熱可塑性硬質合成樹脂、ＦＲＰ、金属、合成樹脂被覆金属等が挙げられる。
【００１３】
ゴミ袋固定枠の平面形状は、基本的にゴミ容器本体の内壁形状に追随するものであって、特に限定されず、例えば、ゴミ容器本体が有底略円筒状の場合には、略半円状、有底略角筒状の場合には、略ロ字状とすればよい。
【００１４】
仕切板とゴミ袋固定枠との相対向する側壁の何れか一方に突設された突起の形状は、特に限定されず、例えば、略半球状、略蒲鉾状等が挙げられ、突起の中央に切れ目を設けて回動時に変形可能としてもよい。
【００１５】
【発明の実施の形態】
以下本発明の分別収集用ゴミ容器の実施例を図面に基いて説明する。
図１は本発明の分別収集用ゴミ容器の第１実施例を示す分解斜視図、図２は図１に示されている本発明の分別収集用ゴミ容器の第１実施例の要部断面図、図３は本発明の分別収集用ゴミ容器の第２実施例を示す要部断面図、図４は本発明の分別収集用ゴミ容器の第３実施例を示す要部断面斜視図である。
【００１６】
図１に示されている本発明の分別収集用ゴミ容器の第１実施例に於いて、１は平面形状略矩形状の硬質合成樹脂製ゴミ容器本体であって、その側壁１２上端は外方に僅かに拡径されて受口１１が周設されており、長手方向の内側壁１２の中央には、上下方向に２本の突条１３が並設されている。
【００１７】
２は略平板状の仕切板であって、仕切板２の上端には、凹溝が形成された支持腕杆２１が延設されており、支持腕杆２１の外側面中央には、側面視略舌状となされた板状突片２２が各２個水平に突設されている。
【００１８】
３は平面形状略ロ字状の合成樹脂製帯状体からなる１対のゴミ袋固定枠であって、仕切板２の支持腕杆２１に相対向する１辺に設けられた略コ字状の凹陥部３１に於いて、前記板状突片２２に上下方向に回動可能に枢支されている。
【００１９】
ゴミ袋固定枠３の仕切板２の支持腕杆２１に相対向する側壁には、略半球状の突起３２が突設されている。突起３２は、図２に示されているように、支持腕杆２１の外側壁に触接して、直立されたゴミ袋固定枠３の傾倒を防ぐようなされている。
【００２０】
使用に際しては、先ず、ゴミ袋固定枠３を上方に直立させた状態で、仕切板２をゴミ容器本体１の内側壁１２に突設された２本の突条１３の中間に挿着する。次に、ゴミ袋固定枠３内にゴミ袋を挿入し、その上端縁を外方に折返してゴミ袋固定枠３に巻回した後、ゴミ袋固定枠３を下方に押下げ回動させて、ゴミ容器本体１の受口１１に支承させる。
【００２１】
ゴミが収納されたゴミ袋をゴミ容器本体１から取出す際には、前記した順序とは逆に、先ず、ゴミ袋固定枠３を上方に押上げ回動させて、直立させる。次いで、ゴミ袋の上端縁をゴミ袋固定枠３から取外し、ゴミ袋の口を緊結してゴミが零れ出ないよう閉塞して、両手を用いてゴミ容器本体１から取出す。
【００２２】
図３に示されている本発明の分別収集用ゴミ容器の第２実施例に於いては、直立されたゴミ袋固定枠３が傾倒するのを防ぐ突起２３が、仕切板２の支持腕杆２１のゴミ袋固定枠３に相対向する側壁に突設されていること以外は、第１実施例と同様であるので、説明を省略する。
【００２３】
図４に示されている本発明の分別収集用ゴミ容器の第３実施例に於いては、直立されたゴミ袋固定枠３が傾倒するのを防ぐ略蒲鉾状の突起２３が、仕切板２の支持腕杆２１のゴミ袋固定枠３に相対向する側壁に上下方向に突設されていること以外は、第１実施例と同様であるので、説明を省略する。
【００２４】
【発明の効果】
本発明の分別収集用ゴミ容器は、叙上の通り構成されているので、ゴミ袋固定枠を直立させて、両手を用いてゴミが収納されたゴミ袋をゴミ容器本体から容易に取出すことが出来る。
【図面の簡単な説明】
【図１】本発明の分別収集用ゴミ容器の第１実施例を示す分解斜視図。
【図２】図１に示されている本発明の分別収集用ゴミ容器の第１実施例の要部断面図。
【図３】本発明の分別収集用ゴミ容器の第２実施例を示す要部断面図。
【図４】本発明の分別収集用ゴミ容器の第３実施例を示す要部断面斜視図。
【符号の説明】
１  ゴミ容器本体
２  仕切板
３  ゴミ袋固定枠
１１  受口
１２  内側壁
１３  突条
２１  支持腕杆
２２  板状突片
２３  （支持腕杆の）突起
３１  凹陥部
３２  （ゴミ袋固定枠の）突起
【図１】
0003545939.tif 000002
【図２】
0003545939.tif 000003
【図３】
0003545939.tif 000004
【図４】
0003545939.tif 000005